(57)【要約】  【課題】見出し用要素収納部を有するファイルにおいて、見出し要素収納部の開閉作業が簡単、容易なものとする。  【解決手段】ファイル本体と、このファイル本体の外縁から突出し基片と先片との間に見出し要素を挟持可能な閉じ姿勢をとり得る見出し要素収納部とを具備してなり、前記見出し要素収納部が、前記基片及び前記先片の少なくとも一方に透光性を持たせるとともに、前記先片の先端部のみが前記基片と前記ファイル本体との間に挟まれることにより前記閉じ姿勢が保持されるようにする。【選択図】図１
2018161795.tif 000002
【特許請求の範囲】
【請求項１】
ファイル本体と、このファイル本体の外縁から突出し基片と先片との間に見出し要素を挟持可能な閉じ姿勢をとり得る見出し要素収納部とを具備してなり、
前記見出し要素収納部が、前記基片及び前記先片の少なくとも一方に透光性を持たせるとともに、前記先片の先端部のみが前記基片と前記ファイル本体との間に挟まれることにより前記閉じ姿勢が保持されるファイル。
【請求項２】
前記見出し要素収納部が、透光性シートを二つ折にして、基部が前記ファイル本体に止着された前記基片と、この基片の先端に連設された前記先片とを構成したものである請求項１記載のファイル。
【請求項３】
前記基片の基部が、前記ファイル本体の外面側に溶着されている請求項１又は２記載のファイル。
【請求項４】
前記基片の基部が、前記ファイル本体の外縁に溶着されるとともに、前記ファイル本体の一部を突出させたものであり、前記先片の先端部のみが前記基片と前記ファイル本体の突出部分との間に挟まれる請求項１又は２記載のファイル。
【請求項５】
前記見出し要素が付箋であり、前記基片又は前記先片のいずれかに付箋の貼付領域を設けた請求項１、２、３又は４記載のファイル。
【請求項６】
前記付箋の貼付領域の端に対応する前記基片又は前記先片の部位に、型押しによる線を設けた請求項１、２、３、４又は５記載のファイル。
【請求項７】
前記基片の基部がファイル本体の外縁と略平行な基本溶着部及びこの基本溶着部よりも外方に位置する補助溶着部において溶着されたものであり、前記補助溶着部が見出し要素収納部の片側に寄せて設けられている請求項１、２、３、４、５又は６記載のファイル。
【発明の詳細な説明】
【技術分野】
【０００１】
本発明は、見出し要素収納部を有するファイルに関する。
【背景技術】
【０００２】
従来より、シートを二つ折りにして表表紙と裏表紙とを形成したファイルが広く用いられてきている。このようなファイルの一つとして、表表紙及び裏表紙を備えたファイル本体と、このファイル本体の外縁から突出する見出し要素収納部を有するものが考えられている（例えば、特許文献１を参照）。前記特許文献１記載の見出し要素収納部は、透光性を有するシートを二つ折りにして基片と先片とを形成し、基片と先片との間に見出し要素を挟持可能な閉じ姿勢をとり得るとともに、前記先片を基片とファイル本体との間に挟み込むように構成されている。
【０００３】
ここで、特許文献１記載の見出し要素収納部は、その全体がファイル本体の裏表紙の内面側に配されており、先片の全体がファイル本体の裏表紙と基片との間に挟み込まれる構成のもの、あるいはファイル本体の外縁部に突出部分を有し先片の全体がこの突出部分と基片との間に挟み込まれる構造のものである。そのため、新たな見出し要素を基片と先片との間に配置するために行われる前記見出し要素収納部の開閉作業、すなわち閉じ姿勢を解除する作業及び再び閉じ姿勢とする作業が煩わしく感じられるという不具合が存在する。
【先行技術文献】
【特許文献】
【０００４】
【特許文献１】特開２００５−０９６１６３号公報
【発明の概要】
【発明が解決しようとする課題】
【０００５】
本発明は以上の点に着目し、見出し要素収納部の開閉作業が簡単、容易なファイルを実現することを目的とする。
【課題を解決するための手段】
【０００６】
請求項１記載の発明に係るファイルは、ファイル本体と、このファイル本体の外縁から突出し基片と先片との間に見出し要素を挟持可能な閉じ姿勢をとり得る見出し要素収納部とを具備してなり、前記見出し要素収納部が、前記基片及び前記先片の少なくとも一方に透光性を持たせるとともに、前記先片の先端部のみが前記基片と前記ファイル本体との間に挟まれることにより前記閉じ姿勢が保持されるものである。
【０００７】
請求項２記載の発明に係るファイルは、請求項１記載の構成のものにおいて、前記見出し要素収納部が、透光性シートを二つ折にして、基部が前記ファイル本体に止着された前記基片と、この基片の先端に連設された前記先片とを構成したものである。
【０００８】
請求項３記載の発明に係るファイルは、請求項１又は２記載の構成のものにおいて、前記基片の基部が、前記ファイル本体の外面側に溶着されているものである。
【０００９】
請求項４記載の発明に係るファイルは、請求項１又は２記載のものにおいて、前記基片の基部が、前記ファイル本体の外縁に溶着されるとともに、前記ファイル本体の一部を突出させたものであり、前記先片の先端部のみが前記基片と前記ファイル本体の突出部分との間に挟まれる。
【００１０】
請求項５記載の発明に係るファイルは、請求項１、２、３又は４記載のものにおいて、前記見出し要素が付箋であり、前記基片又は前記先片のいずれかに付箋の貼付領域を設けたものである。
【００１１】
請求項６記載の発明に係るファイルは、請求項１、２、３、４又は５記載のものにおいて、前記付箋の貼付領域の端に対応する前記基片又は前記先片の部位に、型押しによる線を設けたものである。
【００１２】
請求項７記載の発明に係るファイルは、請求項１、２、３、４、５又は６記載のものにおいて、前記基片の基部がファイル本体の外縁と略平行な基本溶着部及びこの基本溶着部よりも外方に位置する補助溶着部において溶着されたものであり、前記補助溶着部が見出し要素収納部の片側に寄せて設けられているものである。
【００１３】
なお、上記各請求項に係る発明において、「透光性を持った基片あるいは先片」とは、見出し要素収納部内を外部から視認することができる性質を持ったもの全般を意味しており、例えば、見出し要素収納部内に収容された見出し要素に記載された内容を全て外部から解読できるような透明性を有するものだけでなく、見出し要素の色や記号などを外部から判別できる程度のすりガラス的な半透明性を有するもの、あるいは、不透明なシート素材に網目や窓を形成したものなどが含まれる。
【発明の効果】
【００１４】
本発明によれば、見出し要素収納部の開閉作業が簡単、容易なファイルを実現することができる。
【図面の簡単な説明】
【００１５】
【図１】本発明の第一実施形態に係るファイルを示す斜視図。
【図２】同実施形態に係るファイルを示す正面図。
【図３】同実施形態に係るファイルを示す背面図。
【図４】同実施形態に係るファイル本体の展開図。
【図５】同実施形態に係る見出し要素収納部の展開図。
【図６】同実施形態に係るファイルの作用説明図。
【図７】同実施形態に係るファイルの作用説明図。
【図８】本発明の第二実施形態に係るファイルを示す斜視図。
【図９】同実施形態に係るファイルを示す正面図。
【図１０】同実施形態に係るファイルを示す背面図。
【図１１】同実施形態に係るファイル本体の展開図。
【図１２】同実施形態に係るファイルの作用説明図。
【図１３】同実施形態に係るファイルの作用説明図。
【図１４】本発明の第三実施形態に係るファイルを示す斜視図。
【図１５】同実施形態に係るファイルを示す正面図。
【図１６】同実施形態に係るファイルを示す背面図。
【図１７】同実施形態に係るファイル本体の展開図。
【図１８】同実施形態に係る見出し要素収納部の展開図。
【図１９】同実施形態に係るファイルの作用説明図。
【図２０】同実施形態に係るファイルの作用説明図。
【発明を実施するための形態】
【００１６】
＜第一実施形態＞
本発明の第一実施形態に係るファイル１Ａは、図１〜図５に示すように、ファイル本体２と、このファイル本体２の外縁２ａから突出し基片４と先片５との間に見出し要素を挟持可能な閉じ姿勢（Ｃ）をとり得る見出し要素収納部３とを具備してなるもので、前記先片５の先端部５ａのみが前記基片４と前記ファイル本体２との間に挟まれることにより前記閉じ姿勢（Ｃ）が保持されるようになっている。
【００１７】
前記ファイル本体２は、図１〜図４に示すように、透光性を有するシートを二つ折りにして表表紙６と裏表紙７とを形成したもので、前記表表紙６と裏表紙７との長辺を構成する外縁２ａ及びこの外縁２ａに隣接する一方の短辺を構成する一方の縁２ｂが解放されているとともに、他方の短辺を構成する他方の縁２ｃが相互に溶着されている。この実施形態では、例えば、図１〜図３における下の縁同士が短辺溶着部２ｄにおいて溶着されている。
【００１８】
前記見出し要素収納部３は、図１〜図３及び図５に示すように、透光性シートを二つ折にして、基部４１が前記ファイル本体２の外面側に止着された前記基片４と、この基片４の先端に連設された前記先片５とを構成したものである。すなわち、前記基片４及び前記先片５は、双方とも透光性を有する。
【００１９】
詳述すれば、前記基片４は、図１〜図３及び図５に示すように、表紙の外縁２ａよりも外方に突出する基片本体４０と、この基片本体４０の基端に連続し裏表紙７の外面７ａ側に溶着された基部４１とを備えたものである。前記基片本体４０は、見出し要素である付箋Ｍに対応する形状及び寸法を有する、例えば長方形状のものであり、この基片本体４０に付箋Ｍの貼付領域４０Ａを設けている。この付箋Ｍの貼付領域４０Ａの端に対応する部位には、型押しによる線４０ｂが設けられている。前記基部４１は、前記基片本体４０よりも長手寸法が大きいもので、長手方向両端近傍部には応力分散用の切欠部４１ａが形成されている。また、この基部４１は、ファイル本体２の外縁２ａと略平行な基本溶着部４１ｂ及びこの基本溶着部４１ｂよりも外方に位置する補助溶着部４１ｃにおいて裏表紙７に溶着されたものであり、前記補助溶着部４１ｃが見出し要素収納部３の片側、より具体的には前記短辺溶着部２ｄが設けられた縁２ｃの側に寄せて設けられている。
【００２０】
前記先片５は、図１〜図３及び図５に示すように、前記基片本体４０の先端に折り曲げ線３ａを介して連続させたもので、前記折り曲げ線３ａで折り曲げることにより、当該先片５が基片本体４０の全体に重なり合うとともに、その先端部５ａが基片４の基部４１の一部に重なり合うようになっている。
【００２１】
図６は、前記見出し要素収納部３を、前記基片４と前記先片５との間に付箋Ｍを挿入可能な開き姿勢（Ｏ）にした状態を示す図である。同図の上欄は、この見出し要素収納部３を拡大して示す斜視図であり、下欄は、前記斜視図におけるＡ−Ａ線に沿った概略断面図である。この概略断面図は、わかりやすくするために、前記ファイル本体２及び前記見出し要素収納部３をそれぞれ構成するシートの厚みを誇張して示している。この開き姿勢（Ｏ）においては、前記基片４における付箋Ｍの貼付領域４０Ａが解放されており、この貼付領域４０Ａに付箋Ｍを貼り付けることができる。そして、この貼付領域４０Ａに付箋Ｍを貼った状態で折り曲げ線３ａを境にして先片５を基片本体４０に重なるように折り返すことによって、この先片５と前記基片本体４０とで付箋Ｍを挟み込むことができる。この挟持状態で前記先片５の先端部５ａを基片４の基部４１とファイル本体２の裏表紙７との間に挿入し挟持させることにより、この見出し要素収納部３が前述した閉じ姿勢（Ｃ）となり、この閉じ姿勢（Ｃ）が維持される。図７は、この見出し要素収納部３を前記閉じ姿勢（Ｃ）に保持した状態を示すものである。同図の上欄は、この見出し要素収納部３を拡大して示す斜視図であり、下欄は、前記斜視図におけるＢ−Ｂ線に沿った概略断面図である。この概略断面図も、わかりやすくするために、シートの厚みを誇張して示している。
【００２２】
このような構成のものであれば、見出し要素収納部３に挟持された付箋Ｍがファイル本体２の外縁２ａよりも外方に突出した状態となるため、見出しの視認性が良好となる。また、先片５の先端部５ａのみを基片４とファイル本体２との間に挟み込むことにより前記閉じ姿勢（Ｃ）が保持されるようになっているので、見出し要素収納部３の開閉作業が簡単、容易である。すなわち、この実施形態においては、見出し要素収納部３の主として上部側を背面側に部材の弾性変形を利用して反るように変形させることにより先片５の先端部５ａを基片４とファイル本体２との間から抜き取ることができ、その先片５を開成させて開き姿勢（Ｏ）に至らしめることができる。この操作は、見出し要素収納部３のいずれの部位を変形させても行うことが可能ではあるが、この実施形態においては、見出し要素収納部３の図中下部は変形させにくくしてあるため、図中上部側を操作するのが好ましい。すなわち、この基片４は、その基部４１が基本溶着部４１ｂのみならず、この基本溶着部４１ｂよりも外方に位置する補助溶着部４１ｃにおいてファイル本体２の裏表紙７に止着されており、この補助溶着部４１ｃは見出し要素収納部３の図中下部に設けてあるため、閉じ状態にある見出し要素収納部３の下部は上部に比べて後方に反らせにくくなっている。換言すれば、このファイル１Ａの通常使用時には、見出し要素収納部３の図中下部を持ってファイル１Ａを開閉させるようにすれば、見出し要素収納部３が不必要に開いてしまうのを抑制することができる。この補助溶着部４１ｃの位置は、ファイル１Ａの主要用途に応じて設定されるものであり、この実施形態においては、見出し内容を視認しながらこの見出し要素収納部３を右手で検索操作する頻度が高い位置、具体的には前記見出し要素収納部３の図１〜図３における下部に設定してある。以上の説明においては、見出し要素収納部３が図１〜図３におけるファイル本体２の右辺に位置する姿勢で説明してあるが、見出し要素収納部３がファイル本体２の上辺に位置する姿勢で用いるようにしてもよいのはもちろんである。このとき、前記補助溶着部４１ｃは前記見出し要素収納部３の右端部に位置することとなるので、右手で見出し要素収納部３を把持してファイル１Ａを開閉する場合において、見出し要素収納部３が不必要に開いてしまうのをより効果的に抑制することができる。
【００２３】
また、この実施形態では、前記見出し要素収納部３の基片４の基部４１がファイル本体２の外面側に溶着されているので、書類が引っかかることがない。すなわち、この実施形態では、基片４の基部４１が、ファイル本体２を構成する裏表紙７の外面に溶着してあるため、裏表紙７の内面と表表紙６の内面との間に収納される書類が、前記基片４に引っかかることを防止することができ、書類の出し入れを円滑に行うことができる。さらに、前記見出し要素収納部３の基片４の基部４１をファイル本体２の外面側に溶着しているとともに、前記基片本体４０をファイル本体２の外縁２ａから突出させ、先片５の先端部５ａのみを基片４とファイル本体２との間に挟み込ませるようにしていることから、この見出し要素収納部３の全体がファイル本体２を構成する表表紙６と裏表紙７との間の書類等収納空間の外側に位置することとなり、書類等収納空間を広く使うことができる。なお、基片４の基部４１を、ファイル本体２を構成する表表紙６の外面に溶着するようにしてももちろんかまわない。
【００２４】
さらに、前記基片４に付箋Ｍの貼付領域４０Ａを設け、付箋Ｍのような自己保持力を備えた紙片を貼付する領域を確保しているので、この付箋Ｍの貼付領域４０Ａに付箋Ｍを貼付でき、見出しの脱落を防止できる。すなわち、この実施形態では、見出し要素として自己保持力を有した付箋Ｍを用いているので、前記基片４と先片５とによる挟持力に加えて付箋Ｍの自己保持力を利用することができ、見出し要素の脱落をより効果的に防止又は抑制することができる。なお、付箋Ｍの貼付領域４０Ａを先片５に設けるようにしてももちろんよい。
【００２５】
そして、付箋Ｍの貼付領域４０Ａにおける付箋Ｍを貼る面の下部に型押しによる線４０ｂを設けているので、付箋Ｍの位置を合わせることができ、かつ、型押しによるシートの歪みにより開口部が狭くなることで、収容した付箋Ｍが落ちにくくなる。すなわち、本実施形態では、シートにより作られた基片４の付箋Ｍの貼付領域４０Ａの両端に型押しによる線４０ｂを設けており、その型押しによる線４０ｂの影響により、基片４が厚み方向に若干湾曲するように変形して見出し要素収納部３の両端を塞ぐようにしているが、型押しによる線の入れ方によっては、基片４が先片５側に膨出するように変形させることも可能であり、その場合には基片４と先片５とによって見出し要素を挟持する力を増加させることもできる。
＜第二実施形態＞
次いで、本発明の第二実施形態に係るファイル１Ｂについて説明する。以下の説明において、前述した第一実施形態におけるものと同一又は対応する各部位には、同一の名称及び符号を付し、説明を省略又は簡略化する。
【００２６】
このファイル１Ｂは、以下の点で第一実施形態のファイル１Ａと異なっており、その他の点では第一実施形態のファイル１Ａと同様の構成を有している。以下、第一実施形態との相違点について説明する。
【００２７】
図８〜図１１に示すように、このファイル１Ｂは、裏表紙７のコーナー部７ｃの内面７ｂに、表表紙６のコーナー部６ｃを差し込んで保持するための脱落防止ストッパ８を設けている。この脱落防止ストッパ８は、基端部を折り曲げ線８ａを介して裏表紙７に一体に形成されたもので、折り曲げ線８ａを境にこの脱落防止ストッパ８を裏表紙７の内面７ｂ側に折り返したうえで、該脱落防止ストッパ８の先端縁部８ｂをストッパ溶着部８ｃにおいて裏表紙７に溶着している。
【００２８】
見出し要素収納部３は、第一実施形態のものと同一の構成のものであり、先片５の先端部５ａのみが基片４とファイル本体２との間に挟まれることにより閉じ姿勢（Ｃ）が保持されるようになっている。図１２は、この見出し要素収納部３の開き姿勢（Ｏ）を示す説明図である。同図の上欄は、この見出し要素収納部３を拡大して示す斜視図であり、下欄は、前記斜視図におけるＣ−Ｃ線に沿った概略断面図である。この概略断面図は、わかりやすくするために、シートの厚みを誇張して示している。図１３は、この見出し要素収納部３の閉じ姿勢（Ｃ）を示す説明図である。同図の上欄は、この見出し要素収納部３を拡大して示す斜視図であり、下欄は、前記斜視図におけるＤ−Ｄ線に沿った概略断面図である。この概略断面図も、わかりやすくするために、シートの厚みを誇張して示している。
【００２９】
このような構成のものであれば、上述したような第一実施形態に係る作用効果をすべてそうする上に、表表紙６を脱落防止ストッパ８に挿入することにより、ファイル本体２を閉じた姿勢に適切に保持しておくことができる。この脱落防止ストッパ８は、裏表紙７に溶着された別体品でもよいが、一体にしておけば、製造に要する工数を削減することができる。
＜第三実施形態＞
次いで、本発明の第三実施形態に係るファイル１Ｃについて説明する。以下の説明において、前述した第一及び第二実施形態におけるものと同一又は対応する各部位には、同一の名称及び符号を付し、説明を省略又は簡略化する。
【００３０】
このファイル１Ｃは、外見上第二実施形態のファイル１Ｂと似たところがあるが、構造上、以下の点で異なっている。
【００３１】
すなわち、このファイル１Ｃは、図１４〜図１６に示すように、基片４の基部４１が、ファイル本体２の外縁２ａに溶着されるとともに、前記ファイル本体２の一部を突出させたものであり、前記先片５の先端部５ａのみが前記基片４と前記ファイル本体２の突出部分２０との間に挟まれるようになっている点で、前述した第一及び第二実施形態のものとは異なった構造をなしている。この第三実施形態では、図１４〜図１７に示すように、基片４の基部４１がファイル本体２を構成する裏表紙７の外縁２ａに沿った部位に溶着されているとともに、その裏表紙７の前記基片４に対応する部位に突出部分７１が一体に形成されており、先片５の先端部５ａはこの裏表紙７の突出部分７１と基片４との間に挟持されることにより、見出し要素収納部３が閉じ姿勢（Ｃ）に保持されるようになっている。さらに、この第三実施形態のファイル１Ｃは、前記基片４及び先片５と脱落防止ストッパ８とが、図１４〜図１６及び図１８に示すように、共通のシートを打ち抜くことにより一体に形成されたものであり、前記脱落防止ストッパ８の基端８ｘは、ファイル本体２の外縁２ａに沿った基本溶着部４１ａを介して前記基片４に一体に連続している。脱落防止ストッパ８の先端縁部８ｂは、第二実施形態のファイル１Ｂと同様に、ストッパ溶着部８ｃにおいて裏表紙７の内面７ｂに溶着されている。
【００３２】
前記見出し要素収納部３は、図１４〜図１７及び図１９〜図２０に示すように、先片５に付箋の貼付領域５Ａを設けており、この付箋の貼付領域５Ａの端に対応する部位には、型押しによる線５ｂを設けている。すなわち、この見出し要素収納部３は、開き姿勢（Ｏ）において先片５に付箋Ｍを貼付した上で、その先片５を折り返して基片４に重ね合わせることにより、付箋Ｍの記載内容が基片４を通して視認可能となるようにしてあり、その閉じ姿勢（Ｃ）において、先片５の先端部５ａのみを基片４と前記裏表紙７の突出部分２０との間に挿入し挟持させることによりその閉じ姿勢（Ｃ）が維持されるようになっている。図１９は、この見出し要素収納部３の開き姿勢（Ｏ）を示す説明図である。同図の上欄は、この見出し要素収納部３を拡大して示す斜視図であり、下欄は、前記斜視図におけるＥ−Ｅ線に沿った概略断面図である。この概略断面図は、わかりやすくするために、シートの厚みを誇張して示している。図２０は、この見出し要素収納部３の閉じ姿勢（Ｃ）を示す説明図である。同図の上欄は、この見出し要素収納部３を拡大して示す斜視図であり、下欄は、前記斜視図におけるＦ−Ｆ線に沿った概略断面図である。この概略断面図も、わかりやすくするために、シートの厚みを誇張して示している。
【００３３】
このような構成のものであっても、上述したような第一実施形態に係る主要な作用効果を奏する上に、表表紙６を脱落防止ストッパ８に挿入することにより、ファイル本体１Ｃを閉じた姿勢に適切に保持しておくことができる。
【００３４】
なお、この脱落防止ストッパは、見出し要素収納部と別体に構成されたものでもよく、また、脱落防止ストッパそのものを省略しても構わない。
【００３５】
さらに、前記第三実施形態では、見出し要素収納部をファイル本体の内面、換言すれば裏表紙の内面に溶着した場合について説明したが、ファイル本体の外縁における外面、換言すれば例えば裏表紙の外面に溶着してもよい。この場合には、裏表紙の外縁に設けられた突出部分が基片の正面側に位置することになるため、付箋の貼付領域は先片ではなく基片に設けておくのが望ましい。加えて、見出し要素収納部をファイル本体の表表紙に溶着してもかまわない。
【００３６】
なお、本発明は以上に述べた実施形態に限らない。
【００３７】
例えば、上述した各実施形態では、見出し要素が付箋であるが、見出し要素は、付箋に限らず、自己保持力を有しない短冊状その他の形状を有する用紙や、糸状のもの等であってもよい。
【００３８】
また、上述した各実施形態では、見出し要素収納部の基片及び先片がいずれも見出し要素収納部内に収容された付箋に記載された内容を全て外部から解読できるような透明性を有するが、見出し要素収納部の基片及び先片の一方のみが透明性を有するものであってもよい。さらに、見出し要素収納部の基片及び先片の一方又は双方が、前記見出し要素の色や記号の形などを外部から判別できる程度のすりガラス的な半透明性を有するもの、あるいは、不透明なシート素材に網目や窓を形成したものであってもよい。
【００３９】
そして、上述した各実施形態では、透光性を有するシートを二つ折りにしてファイル本体の表表紙と裏表紙とを形成しているが、ファイル本体を構成するシートについては、透光性を有するものに限られない。また、表表紙を形成するシートと裏表紙を形成するシートとを重ね合わせ隣接する二辺を溶着等の方法により止着してなるファイル本体を採用してももちろんよい。
【００４０】
加えて、見出し要素収納部は、ファイル本体の外縁のどの位置に設けてもよい。また、見出し要素収納部の位置がそれぞれ異なる複数のファイルを組み合わせて利用するとなおよい。
【００４１】
その他、本発明の趣旨を損ねない範囲で種々に変更してよい。
【符号の説明】
【００４２】
１Ａ〜１Ｃ…ファイル
２…ファイル本体
２ａ…ファイル本体の外縁
３…見出し要素収納部
４…基片
５…先片
５ａ…先片の先端部
（Ｃ）…閉じ姿勢
【図１】
2018161795.tif 000003
【図２】
2018161795.tif 000004
【図３】
2018161795.tif 000005
【図４】
2018161795.tif 000006
【図５】
2018161795.tif 000007
【図６】
2018161795.tif 000008
【図７】
2018161795.tif 000009
【図８】
2018161795.tif 000010
【図９】
2018161795.tif 000011
【図１０】
2018161795.tif 000012
【図１１】
2018161795.tif 000013
【図１２】
2018161795.tif 000014
【図１３】
2018161795.tif 000015
【図１４】
2018161795.tif 000016
【図１５】
2018161795.tif 000017
【図１６】
2018161795.tif 000018
【図１７】
2018161795.tif 000019
【図１８】
2018161795.tif 000020
【図１９】
2018161795.tif 000021
【図２０】
2018161795.tif 000022